(57)【要約】      （修正有）【課題】壁面への取付位置の変更や位置合わせのための微調整を容易に行え、また、商品のアピール力を上昇させると共に、アピール内容の変更も容易である壁面取付型表示装置及びこれを備えた自動販売機を提供する。【解決手段】シート状のラベルＬと、このラベルＬを保持するホルダ９とを備えた壁面取付型表示装置であって、ホルダ９が、壁面に固着されるベース部１０と、このベース部１０から前方に延びる前方延設部１１と、ベース部１０に対して回動可能に連結した可動部１２と、この可動部１２の向きを変更可能に固定するために可動部１２及びベース部１０に設けた係合手段１３とを有し、前方延設部１１の先端部分と、可動部１２の先端部分及び回動基端部分と、ベース部１０及び前方延設部１１の境界部分とに、ラベルＬの端部を保持可能な保持部分１７，１８，２０を形成してある。【選択図】図２
0003136865.tif 000002
【実用新案登録請求の範囲】
【請求項１】
シート状のラベルと、このラベルを保持するホルダとを備えた壁面取付型表示装置であって、前記ホルダが、壁面に固着されるベース部と、このベース部から前方に延びる前方延設部と、前記ベース部に対して回動可能に連結した可動部と、この可動部の向きを変更可能に固定するために可動部及びベース部に設けた係合手段とを有し、前記前方延設部の先端部分と、可動部の先端部分及び回動基端部分と、ベース部及び前方延設部の境界部分とに、ラベルの端部を保持可能な保持部分を形成してある壁面取付型表示装置。
【請求項２】
前記係合手段が、可動部の回動基端部分の両側に外向きに設けた凸部と、各凸部が嵌合するようにベース部に設けた嵌合溝とを備え、前記可動部が、前記壁面に沿う姿勢と、前方に延びる姿勢と、これらの中間の姿勢とをとる向きでそれぞれ固定されるように３対の前記嵌合溝を設けてある請求項１に記載の壁面取付型表示装置。
【請求項３】
壁面に対して着脱自在に固着する固着手段を前記ベース部に設けてある請求項１または２に記載の壁面取付型表示装置。
【請求項４】
前記前方延設部の先端部分に設けた第１保持部分と、前記可動部の先端部分に設けた第２保持部分、可動部の回動基端部分に設けた第３保持部分または前記ベース部及び前方延設部の境界部分に設けた第４保持部分のいずれかとによってラベルを保持する請求項１〜３のいずれかに記載の壁面取付型表示装置。
【請求項５】
前記前方延設部の先端部分に設けた第１保持部分は、前方延設部の先端に沿わせて突設した突設壁と、この突設壁に対して垂直な向きに延び、かつ突設壁との間に間隔を有する複数のガイド片とで構成してあり、可動部の先端部分に設けた第２保持部分は、可動部の先端に沿わせて突設した突設壁と、この突設壁に対して垂直な向きに延び、かつ突設壁との間に間隔を有する複数のガイド片とで構成してある請求項１〜４のいずれかに記載の壁面取付型表示装置。
【請求項６】
前記可動部の回動基端部分に設けた第３保持部分は、可動部の回動基端部分に沿わせて突設し、かつ可動部の先端部に近づく方向に傾斜した突設壁によって構成してある請求項１〜５のいずれかに記載の壁面取付型表示装置。
【請求項７】
前記ベース部及び前方延設部の境界部分に設けた第４保持部分は、前方延設部の後端部分に沿わせて突設し、かつベース部との間に間隔を有する突設壁と、ベース部とによって構成してある請求項１〜６のいずれかに記載の壁面取付型表示装置。
【請求項８】
前面を透光パネルで覆った展示室の壁面に、請求項１〜７のいずれかに記載の壁面取付型表示装置を取り付けてある自動販売機。
【請求項９】
前記展示室の壁面を金属によって形成してあると共に、前記壁面取付型表示装置のベース部が前記壁面への固着手段として磁石を有している請求項８に記載の自動販売機。
【考案の詳細な説明】
【技術分野】
【０００１】
本考案は、例えばペットボトル、缶、壜等の容器に入った炭酸飲料、茶、水、清涼飲料水、コーヒー等の飲料、あるいは、煙草、乾電池等を無人販売するための自動販売機に用いられる壁面取付型表示装置及びこれを備えた自動販売機に関する。
【背景技術】
【０００２】
例えば、各種の容器入り飲料の自動販売機においては、販売対象とする実商品の展示はせず、実商品の外観を反映させた等身大のダミー体を前面部に展示してある。
【０００３】
即ち、前記自動販売機は、透光（透明）パネルで前面を覆った展示室を有している。そして、展示室内には、ダミー体取付用の開口を複数有する架台部を設けてあり、架台部の開口に対してダミー体を着脱自在に取り付けることができるように構成してある。従って、斯かる自動販売機では、新商品の発売や季節の変化等に伴って行われる商品の入れ替えに対応させるためのダミー体の交換を容易に行うことができる。
【考案の開示】
【考案が解決しようとする課題】
【０００４】
ところで、新商品やキャンペーン対象商品等、販売促進のために目立たせたい商品がある場合、商品アピール用のキャッチコピーや図柄等が印刷されたシールを、展示室前面の透光パネルや展示室内奥側の壁面に貼着する手法が従来とられているが、このような手法では以下の（１）〜（４）の問題がある。
【０００５】
（１）商品の入れ替えに伴いダミー体も入れ替わり、壁面における前記シールを貼着するためのスペースが例えば小さくなった場合に、前記シールを小さくすることはできず、より小さいシールへの貼り替え作業を行うと総じてコスト高となる、（２）壁面に貼着したシールが所定の貼着位置からずれた場合等に何度も貼りなおすとシールの接着力が落ちて剥離の問題が生じたり、接着剤が壁面に付着して見栄えが悪くなるおそれがある、（３）上記のように貼着後のシールの位置を微調整することは困難であるので、前記シールを所定の貼着位置に正確に一度で貼着することが望ましいが、それには作業者の熟練が必要である、（４）販売促進期間の終了等に伴って行う前記シールの剥離作業に手間がかかる上、剥離作業に失敗してシールの一部が透光パネルや壁面に残存するおそれがある。
【０００６】
この考案は上述の事柄に留意してなされたもので、その目的は、壁面への取付位置の変更や位置合わせのための微調整を容易に行え、また、商品のアピール力を上昇させると共に、アピール内容の変更も容易である壁面取付型表示装置及びこれを備えた自動販売機を提供することである。
【課題を解決するための手段】
【０００７】
上記目的を達成するために、本考案の壁面取付型表示装置は、シート状のラベルと、このラベルを保持するホルダとを備えた壁面取付型表示装置であって、前記ホルダが、壁面に固着されるベース部と、このベース部から前方に延びる前方延設部と、前記ベース部に対して回動可能に連結した可動部と、この可動部の向きを変更可能に固定するために可動部及びベース部に設けた係合手段とを有し、前記前方延設部の先端部分と、可動部の先端部分及び回動基端部分と、ベース部及び前方延設部の境界部分とに、ラベルの端部を保持可能な保持部分を形成してある（請求項１）。
【０００８】
上記壁面取付型表示装置において、前記係合手段が、可動部の回動基端部分の両側に外向きに設けた凸部と、各凸部が嵌合するようにベース部に設けた嵌合溝とを備え、前記可動部が、前記壁面に沿う姿勢と、前方に延びる姿勢と、これらの中間の姿勢とをとる向きでそれぞれ固定されるように３対の前記嵌合溝を設けてあってもよい（請求項２）。
【０００９】
上記壁面取付型表示装置において、壁面に対して着脱自在に固着する固着手段を前記ベース部に設けてあることが好ましい（請求項３）。
【００１０】
上記壁面取付型表示装置において、前記前方延設部の先端部分に設けた第１保持部分と、前記可動部の先端部分に設けた第２保持部分、可動部の回動基端部分に設けた第３保持部分または前記ベース部及び前方延設部の境界部分に設けた第４保持部分のいずれかとによってラベルを保持してもよい（請求項４）。
【００１１】
上記壁面取付型表示装置において、前記前方延設部の先端部分に設けた第１保持部分は、前方延設部の先端に沿わせて突設した突設壁と、この突設壁に対して垂直な向きに延び、かつ突設壁との間に間隔を有する複数のガイド片とで構成してあり、可動部の先端部分に設けた第２保持部分は、可動部の先端に沿わせて突設した突設壁と、この突設壁に対して垂直な向きに延び、かつ突設壁との間に間隔を有する複数のガイド片とで構成してあってもよい（請求項５）。
【００１２】
上記壁面取付型表示装置において、前記可動部の回動基端部分に設けた第３保持部分は、可動部の回動基端部分に沿わせて突設し、かつ可動部の先端部に近づく方向に傾斜した突設壁によって構成してあってもよい（請求項６）。
【００１３】
上記壁面取付型表示装置において、前記ベース部及び前方延設部の境界部分に設けた第４保持部分は、前方延設部の後端部分に沿わせて突設し、かつベース部との間に間隔を有する突設壁と、ベース部とによって構成してあってもよい（請求項７）。
【００１４】
また、上記目的を達成するために、本考案の自動販売機は、前面を透光パネルで覆った展示室の壁面に、請求項１〜７のいずれかに記載の壁面取付型表示装置を取り付けてある（請求項８）。
【００１５】
上記自動販売機において、前記展示室の壁面を金属によって形成してあると共に、前記壁面取付型表示装置のベース部が前記壁面への固着手段として磁石を有していてもよい（請求項９）。
【考案の効果】
【００１６】
請求項１〜９に係る本考案では、壁面への取付位置の変更や位置合わせのための微調整を容易に行え、また、商品のアピール力を上昇させると共に、アピール内容の変更も容易である壁面取付型表示装置及びこれを備えた自動販売機が得られる。
【００１７】
即ち、請求項１に係る本考案では、例えば商品の入れ替えに伴いダミー体も入れ替わり、壁面における表示装置を取り付けるためのスペースが拡大あるいは縮小しても、前記可動部を回動操作することにより表示装置の高さ（厚み）を容易に変更することができるので、常に前記スペースの有効活用を大いにかつ柔軟に図ることができる。その上、本考案では、スペースの変更を考慮して何枚ものラベルを用意しておく必要もないので、コストの低減化にも寄与する。
【００１８】
請求項２に係る本考案では、係合手段による可動部の回動操作をより容易に行えるので、表示装置の取付や交換の際の作業性を向上することができる。
【００１９】
請求項３に係る本考案では、取付後の表示装置の位置を微調整することが容易となるので取付作業に熟練が不要となる上、販売促進期間の終了等に伴って行う前記表示装置の撤去作業も容易に、しかも壁面を汚すことなく行うことができる。
【００２０】
請求項４〜７に係る本考案では、ホルダに対するラベルの装着を容易に行うことができ、しかも、上記装着のための構成は極めてシンプルであるので、表示装置を低コストで製造することができる。
【００２１】
請求項８に係る本考案では、上記考案の効果を奏する自動販売機が得られる。
【００２２】
請求項９に係る本考案では、壁面に対する前記表示装置の取付けに接着剤を用いないので、シールを用いた場合のように貼着と剥離の繰り返しによる接着力低下や、接着剤の壁面への付着による見栄え悪化の問題が生じず、簡単に取り扱うことができる表示装置を備えた自動販売機が得られる。
【考案を実施するための最良の形態】
【００２３】
以下、本考案の実施の形態について図面を参照しながら説明する。ここで、図１は、本考案の一実施の形態に係る壁面取付型表示装置（以下、表示装置という）を備えた自動販売機の構成を概略的に示す斜視図である。
【００２４】
図１に示すように、前記自動販売機は、商品補充のために開閉自在に設けられた扉１を前面に有し、この扉１の上部には、複数のダミー体２を展示するための展示室３を上下２段に設けてある。そして、各展示室３の下部には、各ダミー体２に関連付けて商品選択用の押しボタン４が配置され、また、自動販売機の前面下部には、商品取り出し口５が設けられている。尚、図示は省略してあるが、前記自動販売機は、硬貨投入口、紙幣投入口、釣り銭口、釣り銭返却用の操作レバー等も備えている。
【００２５】
また、図１に示すように、各展示室３の前面を透光（透明）パネル６で覆ってあると共に、各展示室３の下部には架台部７を設けてある。ここで、前記透光パネル６は、展示室３内のダミー体２を外部から見ることができるように光透過性を有しており、例えば透明の合成樹脂板からなる。また、前記架台部７はダミー体取付用の開口（図示していない）を複数有し、各開口に対してダミー体２を着脱自在に取り付けることができるように構成してある。さらに、架台部７の下方には例えば螢光灯である照明光源（図示していない）を配置してあり、照明光源からの光は、前記開口を経て前記ダミー体２に照射され、この照射により各ダミー体２がライトアップされることになる。
【００２６】
前記ダミー体２は、例えば、ポリプロピレン（ＰＰ）、ポリカーボネート（ＰＣ）、ポリエチレンテレフタレート（ＰＥＴ）などの透明または半透明の合成樹脂、あるいはこれらの樹脂の再生品などの耐熱性、耐候性、耐老化性に優れた素材を用いて、真空成形または圧空成形によって形成してある。尚、図１には、実商品全体と酷似する形状の等身大のダミー体２を示しているが、ダミー体２は実商品の略前半分のみの外観を反映するもの（いわゆるハーフダミー体）であってもよく、この場合には、上記素材を用いて、真空成形または圧空成形によってまず半割り体を形成し、その後、例えばトムソン法による押切りを行うことによってダミー体２を製作することができる。
【００２７】
そして、図１中の拡大図に示すように、前記展示室３の奥側の壁面（背壁）８に、前記表示装置Ｄを取り付けてある。以下、この表示装置Ｄの構成について、図２〜図７を参照しながら説明する。ここで、図２は、前記表示装置Ｄの構成を概略的に示す説明図、図３及び図４は、前記表示装置Ｄのホルダ９の構成を概略的に示す縦断面図及び平面図、図５、図６及び図７は、太形態、中形態及び細形態をとる前記表示装置Ｄの構成を概略的に示す縦断面図である。
【００２８】
前記表示装置Ｄは、図２に示すように、シート状のラベルＬと、このラベルＬを着脱自在に保持するホルダ９とを備えている。
【００２９】
前記ラベルＬは、前記ダミー体２と同様に、例えば、ポリプロピレン（ＰＰ）、ポリカーボネート（ＰＣ）、ポリエチレンテレフタレート（ＰＥＴ）などの透明または半透明の合成樹脂、あるいはこれらの樹脂の再生品などの耐熱性、耐候性、耐老化性に優れた素材を用いて、例えば、厚みが０．０５〜０．３ｍｍ程度（本実施形態では０．１ｍｍ若しくは０．１２５ｍｍ）で、縦１００ｍｍ×横１３５ｍｍの寸法に、断裁若しくは抜き加工により形成してあり、弾性復帰可能に湾曲させることができるように構成してある。尚、前記ラベルＬを、例えば、紙製としてもよい。
【００３０】
そして、ラベルＬの表面には、商品アピール用のキャッチコピーや図柄等を印刷（シルク印刷、オフセット印刷、凸印刷等）してある。
【００３１】
一方、前記ホルダ９は、ポリプロピレン等の合成樹脂により成形してあり、図２に示すように、壁面に対して着脱自在に固着されるベース部１０と、このベース部１０から前方に延びる前方延設部１１と、前記ベース部１０に対して回動可能に連結した可動部１２と、この可動部１２の向きを変更可能に固定するために可動部１２及びベース部１０に設けた係合手段１３とを有している。
【００３２】
ここで、前記展示室３の背壁、左右側壁及び天井壁は金属によって形成してあり、前記ベース部１０はこれらの壁面への固着手段１４として磁石を有している（図３参照）。
【００３３】
また、前記ベース部１０に対して前記可動部１２を連設（一体成形）してあり、その境界部分を薄肉とすることによってヒンジの機能を持たせている。しかし、この構成に限らず、別途の部材を用いてヒンジを設けてもよい。
【００３４】
さらに、図２〜図４に示すように、前記係合手段１３は、可動部１２の回動基端部分の両側に外向きに設けた一対の凸部１５と、各凸部１５が嵌合するようにベース部１０に設けた嵌合溝１６とを備え、前記可動部１２が、前記壁面に沿う姿勢（前方延設部１１とのなす角度が約０°となる姿勢）と、前方に延びる姿勢（前方延設部１１とのなす角度が約９０°となる姿勢）と、これらの中間の姿勢（前方延設部１１とのなす角度が約４５°となる姿勢）とをとる向きでそれぞれ固定されるように３対の前記嵌合溝１６を設けてある（図２及び図３参照）。
【００３５】
そして、前記ホルダ９は、図２〜図４に示すように、前記前方延設部１１の先端部分に設けた第１保持部分１７と、前記可動部１２の先端部分に設けた第２保持部分１８、可動部１２の回動基端部分に設けた第３保持部分１９または前記ベース部１０及び前方延設部１１の境界部分に設けた第４保持部分２０のいずれかとによってラベルＬを保持するように構成してある。
【００３６】
前記第１保持部分１７は、図３及び図４に示すように、前方延設部１１の先端に沿わせて突設した突設壁１１ａと、この突設壁１１ａに対して垂直な向きに延び、かつ突設壁１１ａとの間に間隔を有する複数（本実施形態では五つ）のガイド片１１ｂとで構成してある。尚、前記ガイド片１１ｂは、図３に示すように山状をしており、これにより、ラベルＬの端部を第１保持部分１７に保持させるときに突設壁１１ａとガイド片１１ｂの間に差し込む操作が行い易くなっている。
【００３７】
前記第２保持部分１８は、図３及び図４に示すように、可動部１２の先端に沿わせて突設した突設壁１２ａと、この突設壁１２ａに対して垂直な向きに延び、かつ突設壁１２ａとの間に間隔を有する複数（本実施形態では五つ）のガイド片１２ｂとで構成してある。尚、前記ガイド片１２ｂは、図３に示すように山状をしており、これにより、ラベルＬの端部を第２保持部分１８に保持させるときに突設壁１２ａとガイド片１２ｂの間に差し込む操作が行い易くなっている。
【００３８】
前記第３保持部分１９は、図３及び図４に示すように、可動部１２の回動基端部分に沿わせて突設し、かつ可動部１２の先端部に近づく方向に傾斜した複数（本実施形態では四つ）の突設壁１９ａによって構成してある。
【００３９】
前記第４保持部分２０は、前方延設部１１の後端部分に沿わせて突設し、かつベース部１０との間に間隔を有する複数（本実施形態では四つ）の突設壁１１ｃと、ベース部１０とによって構成してある。
【００４０】
以上の構成を有するホルダ９では、前記可動部１２を回動させ、前記係合手段１３による係合を行わせると、可動部１２が、前記壁面に沿う姿勢（鉛直姿勢）、前方に延びる姿勢（水平姿勢）、これらの中間の姿勢（中間姿勢）のいずれかをとる。そして、可動部１２が上記鉛直姿勢をとった状態でホルダ９にラベルＬを保持させると、表示装置Ｄは図５に示すように太形態をとり、可動部１２が上記中間姿勢をとった状態でホルダ９にラベルＬを保持させると、表示装置Ｄは図６に示すように中間形態をとり、可動部１２が上記水平姿勢をとった状態でホルダ９にラベルＬを保持させると、表示装置Ｄは図７に示すように細形態をとる。
【００４１】
上記のように、表示装置Ｄは太形態、中間形態、細形態の三つの形態をとる３段可変式としたものであり、この実施形態における表示装置Ｄの高さ（太さ）Ｈは、太形態では６５ｍｍ、中間形態では４５ｍｍ、細形態では３５ｍｍとなる。
【００４２】
ここで、前記太形態をとる表示装置Ｄでは、図５に示すように、ラベルＬの一端部は第１保持部分１７によって保持され、他端部は第２保持部分１８によって保持される。また、中間形態をとる表示装置Ｄでは、図６に示すように、ラベルＬの一端部は第１保持部分１７によって保持され、他端部は第３保持部分１９によって保持され、かつ、ラベルＬの中間部分が可動部１２の突設壁１２ａによって押さえられる。さらに、細形態をとる表示装置Ｄでは、図７に示すように、ラベルＬの一端部は第１保持部分１７によって保持され、他端部は第４保持部分２０によって保持され、かつ、ラベルＬの中間部分が可動部１２の突設壁１２ａによって押さえられる。
【００４３】
上記のように、表示装置Ｄはその高さ（太さ）を３段階に変更することができるので、前記展示室３の壁面に生じたスペースに合うように変形させた状態で取り付ければ、展示室３の有効活用を図ることができる。尚、図１中の拡大図には、展示室３の一側部に空いた比較的大きなスペースに太形態をとる表示装置Ｄを縦に取り付け、比較的小さなダミー体２の上部に形成された比較的小さなスペースに細形態をとる表示装置Ｄを横に取り付けた例を図示してある。
【００４４】
なお、本考案は、上記の実施の形態に限られず、種々に変形して実施することができる。そこで、以下にその変形例について説明する。
【００４５】
まず、上記実施形態では、ラベルＬとして略矩形状のものを用いているが、ラベルＬは様々な構成のものを採用することができる。例えば、図８（Ａ）に示すように、ラベルＬに適宜の切り込み２１を入れておけば、ホルダ９にラベルＬを湾曲状態で保持させたときに切り込み２１で囲まれた部分２２が浮き上がり、これにより、ラベルＬに立体感を付与することができる（図８（Ｂ）参照）。また、同じく図８（Ａ）に示すように、ラベルＬの左右にブリッジ部分２３を介して適宜形状の垂下部分２４を設けておけば、ホルダ９にラベルＬを湾曲状態で保持させたときに垂下部分２４が後ろに下がり、これによってもラベルＬに立体感を付与することができる（図８（Ｂ）参照）。
【００４６】
また、上記実施形態では、表示装置Ｄを展示室３の背壁面に取り付ける例を示したが、これに限らず、例えば、展示室３の側壁や天井壁に取り付けてもよく、その他、自動販売機の外面等に取り付けてもよい。
【００４７】
さらに、前記表示装置Ｄをダミー体２として用いることも可能である。
【００４８】
また、前記ベース部１０に設けた固着手段１４は磁石に限らず、例えば、両面テープであってもよい。
【００４９】
また、上記実施形態では、前記表示装置Ｄが３段可変式である例を示したが、これに限らず、嵌合溝１６の数を増減し、ラベルＬの端部を保持する保持部分を適宜の位置に設けることにより、４段以上の多段可変式としてもよいし、２段可変式としてもよい。
【００５０】
また、上記実施形態では、ガイド片１１ｂ、ガイド片１２ｂ、突設壁１９ａ、突設壁１１ｃがそれぞれ複数である例を示したが、それぞれ一つのみ設けてあってもよい。
【図面の簡単な説明】
【００５１】
【図１】本考案の一実施の形態に係る壁面取付型表示装置を備えた自動販売機の構成を概略的に示す斜視図である。
【図２】前記壁面取付型表示装置の構成を概略的に示す説明図である。
【図３】前記壁面取付型表示装置のホルダの構成を概略的に示す縦断面図である。
【図４】前記壁面取付型表示装置のホルダの構成を概略的に示す平面図である。
【図５】太形態をとる前記壁面取付型表示装置の構成を概略的に示す縦断面図である。
【図６】中形態をとる前記壁面取付型表示装置の構成を概略的に示す縦断面図である。
【図７】細形態をとる前記壁面取付型表示装置の構成を概略的に示す縦断面図である。
【図８】（Ａ）及び（Ｂ）は、上記実施の形態におけるラベルの変形例の構成を概略的に示す正面図及び側面図である。
【符号の説明】
【００５２】
８    壁面
９    ホルダ
１０    ベース部
１１    前方延設部
１２    可動部
１３    係合手段
１７    第１保持部分
１８    第２保持部分
１９    第３保持部分
２０    第４保持部分
Ｌ    ラベル
【図１】
0003136865.tif 000003
【図２】
0003136865.tif 000004
【図３】
0003136865.tif 000005
【図４】
0003136865.tif 000006
【図５】
0003136865.tif 000007
【図６】
0003136865.tif 000008
【図７】
0003136865.tif 000009
【図８】
0003136865.tif 000010